(57)【要約】通信のための技法が開示される。方法は、制御シグナリングのために２つ以上のリソースエレメントをサブフレームから選択することと、ここにおいて、サブフレームは、複数のシンボル期間を含み、各シンボル期間は、複数のリソースエレメントを含み、選択された２つ以上のリソースエレメントは、コンカレントなシンボル期間に関連付けられている、リソース割振りメッセージをアクセス端末に送信することと、ここにおいて、リソース割振りメッセージは、選択された２つ以上のリソースエレメントが制御シグナリングのために割り振られることを示す、を含み得る。【選択図】  図１
2018525945.tif 000002
【特許請求の範囲】
【請求項１】
通信の方法であって、
制御シグナリングのために２つ以上のリソースエレメントをサブフレームから選択することと、ここにおいて、前記サブフレームは、複数のシンボル期間を含み、各シンボル期間は、複数のリソースエレメントを含み、前記選択された２つ以上のリソースエレメントは、同じシンボル期間に含まれるコンカレントなリソースエレメントである、
リソース割振りメッセージをアクセス端末に送信することと、ここにおいて、前記リソース割振りメッセージは、前記選択された２つ以上のリソースエレメントが制御シグナリングのために割り振られることを示す、
を備える方法。
【請求項２】
前記複数のリソースエレメントの各リソースエレメントは、複数のトーンのうちの１つのトーンに関連付けられており、前記選択された２つ以上のリソースエレメントは、前記複数のトーンのうちの第１のトーンに関連付けられた第１のリソースエレメントと、前記第１のトーンとは異なる第２のトーンに関連付けられた第２のリソースエレメントとを含む、請求項１に記載の方法。
【請求項３】
前記第１のリソースエレメントは、第１のリソースブロックに関連付けられており、前記第２のリソースエレメントは、前記第１のリソースブロックとは異なる第２のリソースブロックに関連付けられている、請求項２に記載の方法。
【請求項４】
前記第１のリソースブロックは、制御シグナリングのために選択されない少なくとも１つの非選択リソースブロックだけ前記第２のリソースブロックから分離されている、請求項３に記載の方法。
【請求項５】
前記第１のリソースブロックおよび前記第２のリソースブロックの各々は、７つの連続したシンボル期間と１２個の隣接トーンとを含むロングタームエボリューション（ＬＴＥ）リソースブロックである、請求項３に記載の方法。
【請求項６】
前記選択された２つ以上のリソースエレメントに関連付けられた前記同じシンボル期間は、無線フレーム内のシンボル期間の総数の５パーセント未満を含み、残りのシンボル期間は、制御シグナリングのために割り振られるリソースエレメントをいずれも含まない、請求項１に記載の方法。
【請求項７】
前記アクセス端末から、前記選択された２つ以上のリソースエレメント上でアップリンク制御シグナリングを受信すること
をさらに備える、請求項１に記載の方法。
【請求項８】
前記アップリンク制御シグナリングを前記受信することに応答して、
ダウンリンク制御シグナリングのために、後続のサブフレームから２つ以上の後続のリソースエレメントを選択することと、ここにおいて、前記選択された２つ以上の後続のリソースエレメントは、後続のシンボル期間に含まれるコンカレントなリソースエレメントである、
前記選択された２つ以上の後続のリソースエレメントを使用してダウンリンク制御シグナリングを送信することと
をさらに備える、請求項７に記載の方法。
【請求項９】
前記ダウンリンク制御シグナリングは、確認応答（ＡＣＫ）を含む、請求項８に記載の方法。
【請求項１０】
制御シグナリングのために１つまたは複数の連続したリソースエレメントをサブフレームから選択することと、ここにおいて、前記１つまたは複数の連続したリソースエレメントは、前記２つ以上のリソースエレメントが含まれる前記シンボル期間に比べて、１つまたは複数の連続したシンボル期間に含まれる、
前記リソース割振りメッセージは、前記選択された２つ以上のリソースエレメントおよび前記連続したリソースエレメントが制御シグナリングのために割り振られることを示す、
をさらに備える、請求項１に記載の方法。
【請求項１１】
装置であって、
少なくとも１つのプロセッサと、
前記少なくとも１つのプロセッサに結合された少なくとも１つのメモリと、前記少なくとも１つのプロセッサおよび前記少なくとも１つのメモリは、
制御シグナリングのために２つ以上のリソースエレメントをサブフレームから選択するように構成される、ここにおいて、前記サブフレームは、複数のシンボル期間を含み、各シンボル期間は、複数のリソースエレメントを含み、前記選択された２つ以上のリソースエレメントは、同じシンボル期間に含まれるコンカレントなリソースエレメントである、
トランシーバと、前記トランシーバは、
リソース割振りメッセージをアクセス端末に送信するように構成される、ここにおいて、前記リソース割振りメッセージは、前記選択された２つ以上のリソースエレメントが制御シグナリングのために割り振られることを示す、
を備える、装置。
【請求項１２】
前記複数のリソースエレメントの各リソースエレメントは、複数のトーンのうちの１つのトーンに関連付けられており、前記選択された２つ以上のリソースエレメントは、前記複数のトーンのうちの第１のトーンに関連付けられた第１のリソースエレメントと、前記第１のトーンとは異なる第２のトーンに関連付けられた第２のリソースエレメントとを含む、請求項１１に記載の装置。
【請求項１３】
前記第１のリソースエレメントは、第１のリソースブロックに関連付けられており、前記第２のリソースエレメントは、前記第１のリソースブロックとは異なる第２のリソースブロックに関連付けられている、請求項１２に記載の装置。
【請求項１４】
前記第１のリソースブロックは、制御シグナリングのために選択されない少なくとも１つの非選択リソースブロックだけ前記第２のリソースブロックから離れている、請求項１３に記載の装置。
【請求項１５】
前記第１のリソースブロックおよび前記第２のリソースブロックの各々は、７つの連続したシンボル期間と１２個の隣接トーンとを含むロングタームエボリューション（ＬＴＥ）リソースブロックである、請求項１３に記載の装置。
【請求項１６】
前記選択された２つ以上のリソースエレメントに関連付けられた前記同じシンボル期間は、無線フレーム内のシンボル期間の総数の５パーセント未満を含み、残りのシンボル期間は、制御シグナリングのために割り振られるリソースエレメントをいずれも含まない、請求項１１に記載の装置。
【請求項１７】
前記トランシーバは、
前記アクセス端末から、前記選択された２つ以上のリソースエレメント上でアップリンク制御シグナリングを受信する  ようにさらに構成される、請求項１１に記載の装置。
【請求項１８】
前記アップリンク制御シグナリングを前記受信することに応答して、前記少なくとも１つのプロセッサおよび前記少なくとも１つのメモリは、
ダウンリンク制御シグナリングのために、後続のサブフレームから２つ以上の後続のリソースエレメントを選択することと、ここにおいて、前記選択された２つ以上の後続のリソースエレメントは、後続のシンボル期間に含まれるコンカレントなリソースエレメントである、
前記選択された２つ以上の後続のリソースエレメントを使用してダウンリンク制御シグナリングを送信することと
を行うようにさらに構成される、請求項１７に記載の装置。
【請求項１９】
前記ダウンリンク制御シグナリングは、確認応答（ＡＣＫ）を含む、請求項１８に記載の装置。
【請求項２０】
前記少なくとも１つのプロセッサおよび少なくとも１つのメモリは、制御シグナリングのために１つまたは複数の連続したリソースエレメントをサブフレームから選択するようにさらに構成され、ここにおいて、前記１つまたは複数の連続したリソースエレメントは、前記２つ以上のリソースエレメントが含まれる前記シンボル期間に比べて、１つまたは複数の連続したシンボル期間に含まれる、
前記リソース割振りメッセージは、前記選択された２つ以上のリソースエレメントおよび前記連続したリソースエレメントが制御シグナリングのために割り振られることを示す、
請求項１１に記載の装置。
【請求項２１】
装置であって、
制御シグナリングのために２つ以上のリソースエレメントをサブフレームから選択するための手段と、ここにおいて、前記サブフレームは、複数のシンボル期間を含み、各シンボル期間は、複数のリソースエレメントを含み、前記選択された２つ以上のリソースエレメントは、同じシンボル期間に含まれるコンカレントなリソースエレメントである、
リソース割振りメッセージをアクセス端末に送信するための手段と、ここにおいて、前記リソース割振りメッセージは、前記選択された２つ以上のリソースエレメントが制御シグナリングのために割り振られることを示す、
を備える装置。
【請求項２２】
動作を実行することをコンピュータまたはプロセッサに行わせる少なくとも１つの命令を備えるコンピュータ読取可能な媒体であって、
制御シグナリングのために２つ以上のリソースエレメントをサブフレームから選択するためのコードと、ここにおいて、前記サブフレームは、複数のシンボル期間を含み、各シンボル期間は、複数のリソースエレメントを含み、前記選択された２つ以上のリソースエレメントは、同じシンボル期間に含まれるコンカレントなリソースエレメントである、
リソース割振りメッセージをアクセス端末に送信するためのコードと、ここにおいて、前記リソース割振りメッセージは、前記選択された２つ以上のリソースエレメントが制御シグナリングのために割り振られることを示す、
を備えるコンピュータ読取可能な媒体。
【請求項２３】
通信の方法であって、
アクセスポイントからリソース割振りメッセージを受信することと、ここにおいて、前記リソース割振りメッセージは、サブフレームからの２つ以上のリソースエレメントが制御シグナリングのために選択されることを示し、前記サブフレームは、複数のシンボル期間を含み、各シンボル期間は、複数のリソースエレメントを含み、前記示された２つ以上のリソースエレメントは、同じシンボル期間に含まれるコンカレントなリソースエレメントである、
前記示された２つ以上のリソースエレメント上でアップリンク制御シグナリングを送信することと
を備える方法。
【請求項２４】
前記複数のリソースエレメントの各リソースエレメントは、複数のトーンのうちの１つのトーンに関連付けられており、前記選択された２つ以上のリソースエレメントは、前記複数のトーンのうちの第１のトーンに関連付けられた第１のリソースエレメントと、前記第１のトーンとは異なる第２のトーンに関連付けられた第２のリソースエレメントとを含む、請求項２３に記載の方法。
【請求項２５】
前記第１のリソースエレメントは、第１のリソースブロックに関連付けられており、前記第２のリソースエレメントは、前記第１のリソースブロックとは異なる第２のリソースブロックに関連付けられている、請求項２４に記載の方法。
【請求項２６】
前記第１のリソースブロックは、制御シグナリングのために選択されない少なくとも１つの非選択リソースブロックだけ前記第２のリソースブロックから離れている、請求項２５に記載の方法。
【請求項２７】
前記第１のリソースブロックおよび前記第２のリソースブロックの各々は、７つの連続したシンボル期間と１２個の隣接トーンとを含むロングタームエボリューション（ＬＴＥ）リソースブロックである、請求項２５に記載の方法。
【請求項２８】
前記選択された２つ以上のリソースエレメントに関連付けられた前記同じシンボル期間は、無線フレーム内のシンボル期間の総数の５パーセント未満を含み、残りのシンボル期間は、制御シグナリングのために割り振られるリソースエレメントをいずれも含まない、請求項２３に記載の方法。
【請求項２９】
前記アクセスポイントから、前記選択された２つ以上のリソースエレメント上でダウンリンク制御シグナリングを受信すること
をさらに備える、請求項２３に記載の方法。
【請求項３０】
前記ダウンリンク制御シグナリングは、確認応答（ＡＣＫ）を含む、請求項２９に記載の方法。
【請求項３１】
装置であって、
アクセスポイントからリソース割振りメッセージを受信するための手段と、ここにおいて、前記リソース割振りメッセージは、サブフレームからの２つ以上のリソースエレメントが制御シグナリングのために選択されることを示し、前記サブフレームは、複数のシンボル期間を含み、各シンボル期間は、複数のリソースエレメントを含み、前記示された２つ以上のリソースエレメントは、同じシンボル期間に含まれるコンカレントなリソースエレメントである、
前記示された２つ以上のリソースエレメント上でアップリンク制御シグナリングを送信するための手段と
を備える装置。
【請求項３２】
動作を実行することをコンピュータまたはプロセッサに行わせる少なくとも１つの命令を備えるコンピュータ読取可能な媒体であって、
アクセスポイントからリソース割振りメッセージを受信するためのコードと、ここにおいて、前記リソース割振りメッセージは、サブフレームからの２つ以上のリソースエレメントが制御シグナリングのために選択されることを示し、前記サブフレームは、複数のシンボル期間を含み、各シンボル期間は、複数のリソースエレメントを含み、前記示された２つ以上のリソースエレメントは、同じシンボル期間に含まれるコンカレントなリソースエレメントである、
前記示された２つ以上のリソースエレメント上でアップリンク制御シグナリングを送信するためのコードと
を備えるコンピュータ読取可能な媒体。
【請求項３３】
装置であって、
少なくとも１つのプロセッサと、
前記少なくとも１つのプロセッサに結合された少なくとも１つのメモリと、前記少なくとも１つのプロセッサおよび少なくとも１つのメモリは、アクセスポイントからリソース割振りメッセージを受信するように構成され、ここにおいて、前記リソース割振りメッセージは、サブフレームからの２つ以上のリソースエレメントが制御シグナリングのために選択されることを示し、前記サブフレームは、複数のシンボル期間を含み、各シンボル期間は、複数のリソースエレメントを含み、前記示された２つ以上のリソースエレメントは、同じシンボル期間に含まれるコンカレントなリソースエレメントである、
トランシーバと、前記トランシーバは、前記示された２つ以上のリソースエレメント上でアップリンク制御シグナリングを送信するように構成される、
を備える装置。
【請求項３４】
前記複数のリソースエレメントの各リソースエレメントは、複数のトーンのうちの１つのトーンに関連付けられており、前記選択された２つ以上のリソースエレメントは、前記複数のトーンのうちの第１のトーンに関連付けられた第１のリソースエレメントと、前記第１のトーンとは異なる第２のトーンに関連付けられた第２のリソースエレメントとを含む、請求項３３に記載の装置。
【請求項３５】
前記第１のリソースエレメントは、第１のリソースブロックに関連付けられており、前記第２のリソースエレメントは、前記第１のリソースブロックとは異なる第２のリソースブロックに関連付けられている、請求項３４に記載の装置。
【請求項３６】
前記第１のリソースブロックは、制御シグナリングのために選択されない少なくとも１つの非選択リソースブロックだけ前記第２のリソースブロックから離れている、請求項３５に記載の装置。
【請求項３７】
前記第１のリソースブロックおよび前記第２のリソースブロックの各々は、７つの連続したシンボル期間と１２個の隣接トーンとを含むロングタームエボリューション（ＬＴＥ）リソースブロックである、請求項３５に記載の装置。
【請求項３８】
前記選択された２つ以上のリソースエレメントに関連付けられた前記同じシンボル期間は、無線フレーム内のシンボル期間の総数の５パーセント未満を含み、残りのシンボル期間は、制御シグナリングのために割り振られるリソースエレメントをいずれも含まない、請求項３３に記載の装置。
【請求項３９】
前記アクセスポイントから、前記選択された２つ以上のリソースエレメント上でダウンリンク制御シグナリングを受信すること
をさらに備える、請求項３３に記載の装置。
【請求項４０】
前記ダウンリンク制御シグナリングは、確認応答（ＡＣＫ）を含む、請求項３９に記載の装置。
【発明の詳細な説明】
【関連出願への相互参照】
【０００１】
[0001]本願は、係属中である、２０１５年８月３１日に出願された「CONTROL SIGNALING IN A SHARED COMMUNICATION MEDIUM」と題する仮特許出願第６２／２１２，４３３号の利益を主張し、それは、本願の譲受人に譲渡され、これにより、全体が参照によって本明細書に明確に組み込まれる。
【イントロダクション】
【０００２】
[0002]本開示の態様は一般に、電気通信に関し、より具体的には、共有通信媒体および同様のもの上での共存に関する。
【０００３】
[0003]ワイヤレス通信システムは、音声、データ、マルチメディア、等の、さまざまなタイプの通信コンテンツを提供するために広く展開されている。典型的なワイヤレス通信システムは、利用可能なシステムリソース（たとえば、帯域幅、伝送電力、等）を共有することで複数のユーザとの通信をサポートすることができる多元接続システムである。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、等が含まれる。これらのシステムは、第３世代パートナーシッププロジェクト（３ＧＰＰ（登録商標））によって提供されるロングタームエボリューション（ＬＴＥ（登録商標））、第３世代パートナーシッププロジェクト２（３ＧＰＰ２）によって提供されるウルトラモバイルブロードバンドおよび進化型データ最適化（ＥＶ−ＤＯ）、電気電子技術者協会（ＩＥＥＥ）によって提供される８０２．１１、等の仕様に準拠して展開されることが多い。
【０００４】
[0004]セルラネットワークでは、「マクロセル」アクセスポイントは、接続性およびカバレッジを、特定の地理的エリアにわたって多数のユーザに提供する。マクロネットワーク展開は、その地理的領域にわたって良好なカバレッジを供給するために慎重に計画、設計、および実施される。たとえば、住居およびオフィスビル用のような室内のまたは他の特定の地理的カバレッジを改善するため、追加の「スモールセル」、典型的に低電力のアクセスポイントが、従来のマクロネットワークを補うために最近展開され始めている。スモールセルアクセスポイントもまた、漸進的な容量増大、より豊富なユーザエクスペリエンス、等を供給し得る。
【０００５】
[0005]スモールセルＬＴＥ動作は、たとえば、ワイヤレスローカルエリアネットワーク（ＷＬＡＮ）技法によって使用されるアンライセンス全米情報基盤（Ｕ−ＮＩＩ）帯域の(Unlicensed National Information Infrastructure (U-NII) band)ようなアンライセンス周波数スペクトルにまで拡大している。スモールセルＬＴＥ動作のこの拡張は、スペクトル効率を高め、そしてＬＴＥシステムの容量を増やすために設計される。しかしながら、これはまた、同じアンライセンス帯域を典型的に利用する他の無線アクセス技法（ＲＡＴ）、中でも注目すべきは、一般に「Ｗｉ−Ｆｉ」と呼ばれるＩＥＥＥ８０２．１１ｘ ＷＡＬＮ技法、の動作を侵害し得る。
【発明の概要】
【０００６】
[0006]通信のための技法が開示される。以下の概要は、本開示のさまざまな態様の説明を助けるためだけに提供される要旨であり、態様の限定ではなく例示のためだけに提供される。
【０００７】
[0007]一例では、方法が開示される。方法は、たとえば、制御シグナリングのために２つ以上のリソースエレメントをサブフレームから選択することと、ここにおいて、サブフレームは、複数のシンボル期間を含み、各シンボル期間は、複数のリソースエレメントを含み、選択された２つ以上のリソースエレメントは、同じシンボル期間に含まれるコンカレントなリソースエレメントである、リソース割振りメッセージをアクセス端末に送信することと、ここにおいて、リソース割振りメッセージは、選択された２つ以上のリソースエレメントが制御シグナリングのために割り振られることを示す、を含み得る。
【０００８】
[0008]別の例では、装置が開示される。装置は、たとえば、制御シグナリングのために２つ以上のリソースエレメントをサブフレームから選択するための手段と、ここにおいて、サブフレームは、複数のシンボル期間を含み、各シンボル期間は、複数のリソースエレメントを含み、選択された２つ以上のリソースエレメントは、同じシンボル期間に含まれるコンカレントなリソースエレメントである、リソース割振りメッセージをアクセス端末に送信するための手段と、ここにおいて、リソース割振りメッセージは、選択された２つ以上のリソースエレメントが制御シグナリングのために割り振られることを示す、を含み得る。
【０００９】
[0009]別の例では、別の装置が開示される。装置は、たとえば、少なくとも１つのプロセッサと、この少なくとも１つのプロセッサに結合された少なくとも１つのメモリとを含み得、少なくとも１つのプロセッサと少なくとも１つのメモリとは、制御シグナリングのために２つ以上のリソースエレメントをサブフレームから選択するように構成され、ここにおいて、サブフレームは、複数のシンボル期間を含み、各シンボル期間は、複数のリソースエレメントを含み、選択された２つ以上のリソースエレメントは、同じシンボル期間に含まれるコンカレント(concurrent)なリソースエレメントである。装置は、トランシーバをさらに備え得、このトランシーバは、リソース割振りメッセージをアクセス端末に送信するように構成され、ここにおいて、リソース割振りメッセージは、選択された２つ以上のリソースエレメントが制御シグナリングのために割り振られることを示す。
【００１０】
[0010]別の例では、動作を実行することをコンピュータまたはプロセッサに行わせる少なくとも１つの命令を備えるコンピュータ読取可能な媒体が開示される。コンピュータ読取可能な媒体は、たとえば、制御シグナリングのために２つ以上のリソースエレメントをサブフレームから選択するためのコードと、ここにおいて、サブフレームは、複数のシンボル期間を含み、各シンボル期間は、複数のリソースエレメントを含み、選択された２つ以上のリソースエレメントは、同じシンボル期間に含まれるコンカレントなリソースエレメントである、リソース割振りメッセージをアクセス端末に送信するためのコードと、ここにおいて、リソース割振りメッセージは、選択された２つ以上のリソースエレメントが制御シグナリングのために割り振られることを示す、を含み得る。
【００１１】
[0011]別の例では、別の方法が開示される。方法は、たとえば、アクセスポイントからリソース割振りメッセージを受信することと、ここにおいて、リソース割振りメッセージは、サブフレームからの２つ以上のリソースエレメントが制御シグナリングのために選択されることを示し、サブフレームは、複数のシンボル期間を含み、各シンボル期間は、複数のリソースエレメントを含み、示された２つ以上のリソースエレメントは、同じシンボル期間に含まれるコンカレントなリソースエレメントである、示された２つ以上のリソースエレメント上でアップリンク制御シグナリングを送信することとを含み得る。
【００１２】
[0012]別の例では、別の装置が開示される。装置は、たとえば、アクセスポイントからリソース割振りメッセージを受信するための手段と、ここにおいて、リソース割振りメッセージは、サブフレームからの２つ以上のリソースエレメントが制御シグナリングのために選択されることを示し、サブフレームは、複数のシンボル期間を含み、各シンボル期間は、複数のリソースエレメントを含み、示された２つ以上のリソースエレメントは、同じシンボル期間に含まれるコンカレントなリソースエレメントである、示された２つ以上のリソースエレメント上でアップリンク制御シグナリングを送信するための手段とを含み得る。
【００１３】
[0013]別の例では、動作を実行することをコンピュータまたはプロセッサに行わせる少なくとも１つの命令を備える別のコンピュータ読取可能な媒体が開示される。コンピュータ読取可能な媒体は、アクセスポイントからリソース割振りメッセージを受信するためのコードと、ここにおいて、リソース割振りメッセージは、サブフレームからの２つ以上のリソースエレメントが制御シグナリングのために選択されることを示し、サブフレームは、複数のシンボル期間を含み、各シンボル期間は、複数のリソースエレメントを含み、示された２つ以上のリソースエレメントは、同じシンボル期間に含まれるコンカレントなリソースエレメントである、示された２つ以上のリソースエレメント上でアップリンク制御シグナリングを送信するためのコードとを含み得る。
【００１４】
[0014]別の例では、別の装置が開示される。装置は、たとえば、少なくとも１つのプロセッサと、この少なくとも１つのプロセッサに結合された少なくとも１つのメモリとを含み得、少なくとも１つのプロセッサと少なくとも１つのメモリとは、アクセスポイントからリソース割振りメッセージを受信するように構成され、ここにおいて、リソース割振りメッセージは、サブフレームからの２つ以上のリソースエレメントが制御シグナリングのために選択されることを示し、サブフレームは、複数のシンボル期間を含み、各シンボル期間は、複数のリソースエレメントを含み、示された２つ以上のリソースエレメントは、同じシンボル期間に含まれるコンカレントなリソースエレメントである。装置は、トランシーバをさらに備え得、このトランシーバは、示された２つ以上のリソースエレメント上でアップリンク制御シグナリングを送信するように構成される。
【００１５】
[0015]添付の図面は、本開示のさまざまな態様の説明を助けるために提示され、これら態様の限定としてではなく例示のためだけに提供される。
【図面の簡単な説明】
【００１６】
【図１】[0016]図１は、アクセス端末と通信状態にあるアクセスポイントを含む例となるワイヤレス通信システムを例示する。
【図２】[0017]図２は、共有通信媒体上での無線アクセス技法（ＲＡＴ）間の競合を例示するシステムレベルの図である。
【図３】[0018]図３は、例となる仮想の時間分割複信（ＴＤＤ）フレーム構造を例示する。
【図４】[0019]図４は、本開示の態様に係る、リソースマップを例示する。
【図５】[0020]図５は、本明細書で説明される技法に係る、例となる通信方法を例示するフロー図である。
【図６】[0021]図６は、一連の相関機能モジュールとして表される例となる装置を例示する。
【図７】[0022]図７は、本明細書で説明される技法に係る、例となる通信方法を例示するフロー図である。
【図８】[0023]図８は、一連の相関機能モジュールとして表される例となる装置を例示する。
【発明の詳細な説明】
【００１７】
[0024]本開示は一般に、共有通信媒体上での動作のための共存技法に関する。
【００１８】
[0025]ワイヤレスシステムでは、ノード（たとえば、アクセスポイント）は、リソースを別のノード（たとえば、アクセス端末）に割り振り得る。割振りは、アクセス端末がシグナリング（たとえば、アップリンク制御シグナリング）を送信することを許可されるのが（時間ドメインにおいて）いつであるかおよび（周波数ドメインにおいて）どこであるかを示し得る。従来、割振りは、特定の周波数またはトーンにおけるものであり得、持続時間は、複数の連続したシンボル期間を含むシーケンスに広がり得る。
【００１９】
[0026]いくつかの条件下で、特定の持続時間（すなわち、特定の数のシンボル期間）を超える送信は、規則（regulation）の順守が必須であり得る。たとえば、欧州電気通信標準化機構（ＥＴＳＩ）競合規則（rule）は、アクセス端末が、特定の閾値（たとえば、所与の時間期間にわたって５％）を超える任意の時間期間の間送信しなければならない場合、アクセス端末が、最初に、通信媒体へのアクセスを求めて競合しなければならないことを規定する（mandate）。以下でより詳細に述べるように、割振りが競合規則に合わせることができる場合、このトリガは回避され得る。具体的には、リソースエレメントが、時間ドメインにわたって（たとえば、複数のシンボル期間にわたって）ではなく、周波数ドメインにわたって（たとえば、複数のトーンにわたって）拡散している場合、同じ量のリソースが割り振られることができる。
【００２０】
[0027]本開示のより具体的な態様が、例示を目的として提供される様々な例を対象とする以下の説明および関連する図面中に提供される。代替の態様が、本開示の範囲から逸脱することなく考案され得る。追加的に、本開示の周知の態様は、より関連性のある詳細を曖昧にしないために、詳細には説明され得る、または、省略され得る。
【００２１】
[0028]当業者は、以下で説明される情報および信号が多種多様な技術および技法のうちの任意のものを使用して表され得ることを認識するであろう。たとえば、以下の説明全体にわたって参照され得るデータ、命令、コマンド、情報、信号、ビット、シンボル、およびチップは、一部は特定の用途に、一部は所望の設計に、一部は対応する技法に、等に依存して、電圧、電流、電磁波、磁場または磁粒子、光場または光粒子、またはそれらの任意の組み合わせによって表され得る。
【００２２】
[0029]さらに、多くの態様は、たとえば、コンピューティングデバイスのエレメントによって実行されるべきアクションのシーケンスの観点から説明される。本明細書で説明される様々なアクションが、特定の回路（たとえば、特定用途向け集積回路（ＡＳＩＣ））によって、プログラム命令が１つまたは複数のプロセッサによって実行されることによって、または両者の組み合わせによって実行されることができることは認識されるであろう。加えて、本明細書で説明される態様の各々について、任意のそのような態様の対応する形式は、たとえば、説明されるアクションを実行「するように構成された論理」として実施され得る。
【００２３】
[0030]図１は、アクセス端末と通信状態にあるアクセスポイントを含む例となるワイヤレス通信システムを例示する。別途明記されていない限り、「アクセス端末」および「アクセスポイント」という用語は、任意の特定の無線アクセス技法（ＲＡＴ）に特有であるようまたは限定されるよう意図されない。一般に、アクセス端末は、ユーザが通信ネットワーク上で通信することを可能にする任意のワイヤレス通信デバイス（たとえば、モバイル電話、ルータ、パーソナルコンピュータ、サーバ、エンターテイメントデバイス、ＩＯＴ（Internet of Things）／ＩＯＥ（Internet of Everything）対応デバイス、車載通信デバイス、等）であり得、異なるＲＡＴ環境では、別名、ユーザデバイス（ＵＤ）、モバイル局（ＭＳ）、加入者局（ＳＴＡ）、ユーザ機器（ＵＥ）、等とも呼ばれ得る。同様に、アクセスポイントは、アクセスポイントが展開されているネットワークに依存してアクセス端末と通信状態にある１つまたはいくつかのＲＡＴにしたがって動作し得、別名、基地局（ＢＳ）、ネットワークノード、ノードＢ、発展型ノードＢ（ｅＮＢ）、等とも呼ばれ得る。そのようなアクセスポイントは、たとえば、スモールセルアクセスポイントに対応し得る。「スモールセル」は一般に、フェムトセル、ピコセル、マイクロセル、ワイヤレスローカルエリアネットワーク（ＷＬＡＮ）アクセスポイント、他のスモールカバレッジエリアアクセスポイント、等を含み得るか、そうでなければそのように呼ばれ得る低電力供給されるアクセスポイントのクラスを指す。スモールセルは、ネイバーフッド内の数ブロックまたは地方環境における数平方マイルをカバーし得るマクロセルカバレッジを補うために展開され得、それによって、改善されたシグナリング、漸進的な容量増加、より豊富なユーザエクスペリエンス、等をもたらす。
【００２４】
[0031]図１の例では、アクセスポイント１１０およびアクセス端末１２０は各々、一般に、少なくとも１つの指定のＲＡＴを介して他のネットワークノードと通信するために（通信デバイス１１２および１２２によって表される）ワイヤレス通信デバイスを含む。通信デバイス１１２および１２２は、指定のＲＡＴにしたがって、信号（たとえば、メッセージ、インジケーション、情報、等）を送信および符号化するために、反対に、信号（たとえば、メッセージ、インジケーション、情報、パイロット、等）を受信および復号するために、さまざまに構成され得る。アクセスポイント１１０およびアクセス端末１２０はまた、各々、一般に、それらのそれぞれの通信デバイス１１２および１２２の動作を制御する（たとえば、指示する、修正する、イネーブルにする、ディセーブルにする、等）ために（通信コントローラ１１４および１２４によって表される）通信コントローラを含み得る。通信コントローラ１１４および１２４は、（処理システム１１６および１２６、ならびに、それぞれ処理システム１１６および１２６に結合され、かつ、オンボードキャッシュメモリ、別個の構成要素、組み合わせ、等のいずれかとして、データ、命令、またはそれらの組み合わせを記憶するように構成されたメモリ構成要素１１８および１２８して例示される）それぞれのホストシステム機能性の指示で動作するか、そうでなければそれらと連動し得る。いくつかの設計では、通信コントローラ１１４および１２４は、部分的または全体的に、それぞれのホストシステム機能性によって組み込まれ得る。
【００２５】
[0032]より詳細な例示された通信について、アクセス端末１２０は、アクセスポイント１１０とのワイヤレスリンク１３０を介してメッセージを送信および受信し得、ここで、メッセージは、様々なタイプの通信（たとえば、音声、データ、マルチメディアサービス、関連する制御シグナリング、等）に関する情報を含む。ワイヤレスリンク１３０は、それぞれのコンポーネントキャリア（それぞれの周波数）上に、プライマリセル（ＰＣｅｌｌ）およびセカンダリセル（ＳＣｅｌｌ）を含むセルの一部として動作し得る。ワイヤレスリンク１３０は、通信媒体１３２として図１において例により示されるコンポーネントキャリアを含む対象の通信媒体上で動作し得、これは、他の通信および他のＲＡＴと共有され得る。このタイプの媒体は、通信媒体１３２のためのアクセスポイント１１０およびアクセス端末１２０のような１つまたは複数の送信機／受信機のペア間の通信に関連付けられた（たとえば、１つまたは複数のキャリアにわたって１つまたは複数のチャネルを包含する）１つまたは複数の周波数、時間、および／または空間通信リソースから構成され得る。
【００２６】
[0033]例として、通信媒体１３２は、他のＲＡＴと共有されるアンライセンス周波数帯域(unlicensed frequency band)の少なくとも一部に対応し得る。一般に、アクセスポイント１１０およびアクセス端末１２０は、それらが展開されるネットワークに依存して１つまたは複数のＲＡＴにしたがって、ワイヤレスリンク１３０を介して動作し得る。これらのネットワークには、たとえば、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワーク、等の異なる変形が含まれ得る。異なるライセンス周波数帯域は（たとえば、米国の連邦通信委員会（ＦＣＣ）のような政府機関によって）そのような通信のために確保されているが、特定の通信ネットワーク、具体的には、スモールセルアクセスポイントを用いるもの、は、ＷＬＡＮ技法、中でも注目すべきは、一般に「Ｗｉ−Ｆｉ」と呼ばれるＩＥＥＥ８０２．１１ｘ ＷＡＬＮ技法、によって使用されるアンライセンス全米情報基盤（Ｕ−ＮＩＩ）帯域のようなアンライセンス周波数帯域に動作を拡大している。
【００２７】
[0034]図２は、通信媒体１３２のような共有通信媒体上でのＲＡＴ間の競合を例示するシステムレベルの図である。この例では、アクセスポイント１１０とアクセス端末１２０との間の通信に使用される通信媒体１３２は、競合するＲＡＴシステム２０２と共有される。競合するＲＡＴシステム２０２は、同じく通信媒体１３２上にあるそれぞれのワイヤレスリンク２３０上で互いと通信する１つまたは複数の競合するノード２０４を含み得る。例として、アクセスポイント１１０およびアクセス端末１２０は、ロングタームエボリューション（ＬＴＥ）技法にしたがってワイヤレスリンク１３０を介して通信し得、競合するＲＡＴシステム２０２は、Ｗｉ−Ｆｉ技法にしたがって、ワイヤレスリンク２３０を介して通信し得る。
【００２８】
[0035]示されるように、通信媒体１３２の使用の共有により、ワイヤレスリンク１３０とワイヤレスリンク２３０との間にクロスリンク干渉が存在する可能性がある。さらに、いくつかのＲＡＴおよびいくつかの管轄（jurisdiction）は、通信媒体１３２へのアクセスを求める競合または「リスンビフォートーク（ＬＢＴ）」を必要とし得る。例として、Ｗｉ−Ｆｉ ＩＥＥＥ８０２．１１プロトコル規格ファミリは、各Ｗｉ−Ｆｉデバイスが、それ自体の送信のために媒体を手に入れる（また、いくつかのケースでは確保する）前に共有媒体上の他のトラフィックの有無を検知する媒体を介して検証するキャリア検知多重アクセス／衝突回避（ＣＳＭＡ／ＣＡ）プロトコルを提供する。別の例では、欧州電気通信標準化機構（ＥＴＳＩ）は、アンライセンス周波数帯域のような特定の通信媒体上で、すべてのデバイスに対して、それらのＲＡＴに関わらず、競合を規定する。
【００２９】
[0036]したがって、シナリオごとに、アクセスポイント１１０および／またはアクセス端末１２０が、競合するＲＡＴシステム２０２へのおよびそれからのそれらの干渉を緩和すること、ならびに、競合するＲＡＴシステム２０２と、通信媒体１３２へのアクセスを求めて競合することが必要であり得る。
【００３０】
[0037]図１の例に戻って、アクセスポイント１１０の通信デバイス１１２は、アクセス端末１２０と主に通信する１つのＲＡＴにしたがって動作するように構成されたプライマリＲＡＴトランシーバ１４０と、競合するＲＡＴシステム２０２のような、通信媒体１３２を共有する他のＲＡＴと主に相互作用する別のＲＡＴにしたがって動作するように構成されたセカンダリＲＡＴトランシーバ１４２とを含む、それぞれのＲＡＴにしたがって動作する２つのコロケートされたトランシーバを含む。本明細書で使用される場合、「トランシーバ」は、送信機回路、受信機回路、またはそれらの組み合わせを含み得るが、すべての設計で送信機能および受信機能の両方は提供する必要はない。たとえば、低機能性の受信機回路は、全通信を提供する必要がないとき（たとえば、単に低レベルのスニッフィングを提供するＷｉ−Ｆｉチップまたは同様の回路）、コストを低減するためにいくつかの設計で用いられ得る。さらに、本明細書で使用される場合、「コロケートされた」（たとえば、無線機、アクセスポイント、トランシーバ、等）という用語は、様々な配列のうちの１つを指し得る。たとえば、同じ筐体内にある構成要素、同じプロセッサによってホストされる構成要素、互いから所定距離内にある構成要素、および／またはインターフェースが任意の必要とされる構成要素間通信（たとえば、メッセージング）のレイテンシ要件を満たす場合にインターフェース（たとえば、イーサネット（登録商標）スイッチ）を介して接続されている構成要素。
【００３１】
[0038]プライマリＲＡＴトランシーバ１４０およびセカンダリＲＡＴトランシーバ１４２は、したがって、異なる機能性を提供し得、異なる目的に対して使用され得る。上のＬＴＥおよびＷｉ−Ｆｉ例に戻って、プライマリＲＡＴトランシーバ１４０は、ワイヤレスリンク１３０上でのアクセス端末１２０との通信を提供するためにＬＴＥ技術にしたがって動作し得、セカンダリＲＡＴトランシーバ１４２は、ＬＴＥ通信に干渉し得るまたはＬＴＥ通信によって干渉され得る通信媒体１３２上でのＷｉ−Ｆｉシグナリングをモニタまたは制御するためにＷｉ−Ｆｉ技術にしたがって動作し得る。セカンダリＲＡＴトランシーバ１４２は、関連する基本サービスセット（ＢＳＳ）に通信サービスを提供する完全Ｗｉ−Ｆｉアクセスポイントとして機能することもしないこともある。アクセス端末１２０の通信デバイス１２２は、いくつかの設計では、プライマリＲＡＴトランシーバ１５０およびセカンダリＲＡＴトランシーバ１５２として図１に示されたような、同様のプライマリＲＡＴトランシーバおよび／またはセカンダリＲＡＴトランシーバ機能性を含み得るが、そのようなデュアルトランシーバ機能性は必要とされない場合がある。
【００３２】
[0039]図３は、アクセスポイント１１０／アクセス端末１２０と競合するＲＡＴシステム２０２との間での競合ベースアクセスを容易にするために、通信媒体３１２上でプライマリＲＡＴのために実施され得る例となる仮想の時間分割複信（ＴＤＤ）フレーム構造を例示する。
【００３３】
[0040]例示されるフレーム構造は、システムフレーム番号（ＳＦＮ）数秘学(numerology)（ＳＦＮ Ｎ、Ｎ＋１、Ｎ＋２、等）にしたがって数字が付けられ、かつ、参照のために同じく番号（たとえば、ＳＦ０、ＳＦ１、等）が付けられ得るそれぞれのサブフレーム（ＳＦ）に分割されている一連の無線フレーム（ＲＦ）を含む。各それぞれのサブフレームは、スロット（図３に示されない）にさらに分割され得、スロットは、シンボル期間にさらに分割され得る。例として、ＬＴＥフレーム構造は、各々１０個のサブフレームから構成される１０２４個の数字が付けられた無線フレームに分割されるシステムフレームを含み、これらは、まとまって、（たとえば、１ｍｓサブフレームを有する１０ｍｓ無線フレームであるため１０．２４秒持続する）ＳＦＮサイクルを構成する。さらに、各サブフレームは、２つのスロットを備え得、各スロットは、６または７つのシンボル期間を備え得る。フレーム構造の使用は、よりアドホックシグナリング技法よりも自然で効率的な、デバイス間での協調を提供し得る。
【００３４】
[0041]図３の例となるフレーム構造は、各サブフレームが、ダウンリンク（Ｄ）、アップリンク（Ｕ）、またはスペシャル（Ｓ）サブフレームとして異なる時間にさまざまに動作され得るという点でＴＤＤである。一般に、ダウンリンクサブフレームは、アクセスポイント１１０からアクセス端末１２０にダウンリンク情報を送信するために確保され、アップリンクサブフレームは、アクセス端末１２０からアクセスポイント１１０にアップリンク情報を送信するために確保され、スペシャルサブフレームは、ガード期間で分離されているダウンリンク部分とアップリンク部分とを含み得る。ダウンリンク、アップリンク、および、スペシャルサブフレームの異なる配列は、異なるＴＤＤ構成と呼ばれ得る。上のＬＴＥ例に戻って、ＬＴＥフレーム構造のＴＤＤ変形は、７つのＴＤＤ構成（ＴＤＤ Ｃｏｎｆｉｇ０〜ＴＤＤ Ｃｏｎｆｉｇ６）を含み、ここで、各構成は、ダウンリンク、アップリンク、およびスペシャルサブフレームの異なる配列を有する。たとえば、異なるトラフィックシナリオに対処する（accommodate）ために、いくつかのＴＤＤ構成は、より多くのダウンリンクサブフレームを有し得、いくつかは、より多くのアップリンクサブフレームを有し得る。図３の例示された例では、ＬＴＥにおけるＴＤＤ Ｃｏｎｆｉｇ３に類似したＴＤＤ構成が用いられる。用いられる特定のＴＤＤ構成は、システム情報ブロック（ＳＩＢ）メッセージ、制御領域においてＴＤＤフレームフォーマットを示すための新たな物理チャネル、または同様のもの（たとえば、ＬＴＥにおけるＳＩＢ−１メッセージ）を使用してアクセスポイント１１０によってブロードキャストされ得る。
【００３５】
[0042]各ＴＤＤ構成は異なるが、すべてのＴＤＤ構成にわたって同じものである１つまたは複数のサブフレームが存在し得る。これらのサブフレームは、本明細書では、アンカーサブフレームと呼ばれる。再度上のＬＴＥ例に戻って、ＴＤＤ構成ＴＤＤ Ｃｏｎｆｉｇ０〜ＴＤＤ Ｃｏｎｆｉｇ６の各々にわたって、各無線フレームにおいて、サブフレームＳＦ０は、ダウンリンクサブフレームであり、ＳＦ１は、スペシャルサブフレームであり、ＳＦ２は、アップリンクサブフレームであり、ＳＦ５は、ダウンリンクサブフレームである。特定のアンカーキャリア指定が異なるシステムにわたって変わり得ることは認識されるであろうが、例示される例では、アンカーサブフレームは、各無線フレームのサブフレームＳＦ０、ＳＦ１、ＳＦ２、およびＳＦ５に同様に対応する。
【００３６】
[0043]図３の例となるフレーム構造は、各サブフレームが、通信媒体１３２にアクセスするための競合プロシージャにより、任意の所与の瞬間にプライマリＲＡＴシグナリングによって占有されることもされないこともあるという点で仮想である。一般に、アクセスポイント１１０またはアクセス端末１２０が所与のサブフレームについて競合に勝てなかった場合、そのサブフレームがサイレンスにされ得る（silence）。
【００３７】
[0044]図３にさらに例示されるように、１つまたは複数のサブフレームは、本明細書で、ｅＤＲＳ（Enhanced Discovery Reference Signaling）と呼ばれるものを含むように指定され得る。ｅＤＲＳは、システム動作を容易にするために制御シグナリングを伝達するように構成され得る。制御シグナリングは、タイミング同期化、システム取得、干渉測定（たとえば、無線リソース測定値（ＲＲＭ）／無線リンク測定値（ＲＬＭ））、トラッキングループ、利得制御（たとえば、自動利得制御（ＡＧＣ））、ページング、等に関連した情報を含み得る。ｅＤＲＳは、各無線フレームの指定サブフレームにおいて周期的に（たとえば、１０ｍｓ秒ごとに）送信され得る。たとえば、ｅＤＲＳは、条件ＳＦＮ ｍｏｄ ｅＤＲＳ＿Ｃｙｃｌｅ＝０を満たす各サブフレームにおける周期性ｅＤＲＳ＿Ｃｙｃｌｅにしたがって送信され得る（第１のサブフレームＳＦ０として例により例示される）。いくつかの展開では、アクセスポイント１１０は、通信媒体１３２へのアクセスを求める競合なし、指定のｅＤＲＳサブフレームを自動的に送信し得る。しかしながら、他の展開では、アクセスポイント１１０は、指定のｅＤＲＳサブフレームを送信するために通信媒体１３２へのアクセスを求めて競合することが必要とされ得る。
【００３８】
[0045]アクセスポイント１１０から受信されるダウンリンク送信に応答して、アクセス端末１２０は、制御チャネル上で制御シグナリングをアクセスポイント１１０に送信するように構成され得る。制御シグナリングは、たとえば、確認応答（ＡＣＫ／ＮＡＣＫ）またはチャネル状態情報（ＣＳＩ）を含み得る。確認応答は、１つまたは複数の送信に対するフィードバック、たとえば、グループＡＣＫ（ＧＡＣＫ）を含み得る。ＣＳＩは、チャネル品質インデックス（ＣＱＩ）、ランクインデックス（ＲＩ）、プリコーダ行列インデックス（ＰＭＩ）、またはそれらの任意の組み合わせを含み得る。制御シグナリングはまた、基準シグナリングを含み得る。基準シグナリングは、アクセスポイント１１０およびアクセス端末１２０の両方に知られている信号構造を有し得、これは、アクセスポイント１１０におけるチャネル推定および復調を容易にし得る。
【００３９】
[0046]確認応答は、単一のハイブリッド自動再送要求（ＨＡＲＱ）プロセス（単一のサブフレーム）に対応し得るか、複数のＨＡＲＱプロセス（複数のサブフレーム）に及び得る。たとえば、ＨＡＲＱプロセスの最新のサイクルに対応する情報を送信するというよりむしろ、アクセス端末１２０は、複数のサイクルに対するＨＡＲＱフィードバックを記憶し、複数のＨＡＲＱサイクルおよび／または複数のＨＡＲＱプロセスに対応するＨＡＲＱフィードバックを送信し得る。アクセスポイント１１０は、半静的にまたは動的にＨＡＲＱフィードバックを要求し得る。半静的な要求は、ＲＲＣ構成または半持続的なシグナリングによって特徴付けられ得る（たとえば、レイヤ１信号を使用してイネーブルまたはディセーブルにするがある時間期間の間有効である）。動的な要求は、ダウンリンク制御情報フォーマットで搬送され得る。
【００４０】
[0047]従来、制御シグナリングは、物理アップリンク共有チャネル（ＰＵＳＣＨ）または物理アップリンク制御チャネル（ＰＵＣＣＨ）を使用してアクセスポイント１１０に送信され得る。たとえば、アクセス端末１２０は、送信されるべきアプリケーションデータまたは無線リソース制御（ＲＲＣ）シグナリングがあるときにはＰＵＳＣＨを使用し、アプリケーションデータまたはＲＲＣシグナリングがないときにはＰＵＣＣＨを使用するように構成され得る。
【００４１】
[0048]いくつかの実施では、アクセス端末１２０は、ＰＵＣＣＨ上でサブフレーム全体を使用して制御シグナリングを送信し、通信媒体１３２へのアクセスを求めて競合することが必要とされ得る。アクセス端末１２０は、サブフレーム全体を通して送信するより前に、通信媒体１３２へのアクセスを求めて競合することが必要とされ得る（関連する技術規格、政府規則、等によって）。この競合が失敗すると、アクセス端末１２０は、制御シグナリングを送信することができず、これは、アクセスポイント１１０およびアクセス端末１２０の動作に対して悪影響を与えるであろう。
【００４２】
[0049]他の実施では、拡張ＰＵＣＣＨ（ｅＰＵＣＣＨ）が、アクセス端末１２０に割り振られる。ＰＵＣＣＨと同様に、ｅＰＵＣＣＨは、時間ドメインにおいてサブフレーム全体に及ぶ。しかし、ｅＰＵＣＣＨはまた、周波数ドメインにおいて複数のリソースブロックを占有する。ｅＰＵＣＣＨ中の１つまたは複数のリソースブロックは、それらが周波数ドメインにおいて連続しないようにインターリーブされ得る。中間リソースブロックは、他の送信（たとえば、ＰＵＳＣＨ送信）に対して割り振られ得る。一般に、アクセスポイント１１０は、アクセス端末のグループにｅＰＵＣＣＨを割り振り、グループＡＣＫ（ＧＡＣＫ）のためにアクセス端末のグループを間欠的にポーリングし得る。次いで、アクセス端末は、制御シグナリングで、割り振られたｅＰＵＣＣＨを使用して、応答し得る。しかしながら、ｅＰＵＣＣＨを使用しようとＰＵＣＣＨを使用しようと、アクセス端末１２０は、特定のサブフレームにおいて制御シグナリングを送信する前に、通信媒体１３２へのアクセスを求めて競合することが（関連する技術規格、政府規則、等によって）必要とされ得、アクセス端末１２０が、ｅＰＵＣＣＨまたはＰＵＣＣＨが送信されることとなるサブフレームについて通信媒体１３２の競合に勝てなかった場合、制御シグナリングは送られないか遅延されるであろう。
【００４３】
[0050]たとえば、ボイスオーバＬＴＥ（ＶｏＬＴＥ）のようなレイテンシの影響を受けやすいアプリケーションが動作中の場合、アクセス端末１２０がアクセスポイント１１０に確認応答を送信することができることは重要である。アクセス端末１２０が競合期間中通信媒体１３２を勝ち取れなかった場合、確認応答は送信されることができず、ＶｏＬＴＥ動作は悪影響を受け得る。別の例として、アクセスポイント１１０は、スケジューリングを実行するために、アクセス端末１２０から受信されるＣＳＩに依存し得る。アクセス端末１２０が競合期間中通信媒体１３２を勝ち取れなかった場合、ＣＳＩは送信されることができず、スケジューリング動作は悪影響を受け得る。
【００４４】
[0051]本開示の態様にしたがって、アクセス端末１２０は、通信媒体１３２を求める競合を最小化しつつ、制御シグナリング（確認応答、ＣＳＩ、等）をアクセスポイント１１０に送信し、したがって、通信媒体１３２へのアクセスを獲得し損なう可能性を回避する。（従来のアプローチにあるような）ＰＵＣＣＨを使用して制御シグナリングを送信する代わりに、本開示のアクセス端末１２０は、「短期共通制御チャネル（short common control channel）」と呼ばれるものを使用する。短期共通制御チャネルシグナリングは、最小の競合で、たとえば、競合なしで、送信され得る。アップリンクシグナリングのために割り振られるとき、短期共通制御チャネルシグナリングは、「ｓＰＵＣＣＨ」シグナリングと呼ばれ得る。しかしながら、以下で説明されるように、短期共通制御チャネルシグナリングは、同様にダウンリンク上でも利用され得る。
【００４５】
[0052]本開示の別の態様にしたがって、ｓＰＵＣＣＨシグナリングは、無競合送信規則に準拠するように構成され得る。たとえば、欧州における現在のＥＴＳＩ競合規則規定は、送信の特定のほんの一部（たとえば、所与の持続時間にわたって５％）が、他の場合には一般に競合が必要とされるが、競合の必要なしに進むことを可能にする。本開示のｓＰＵＣＣＨシグナリングは、通信媒体１３２を求める競合を最小化しつつ、しかしながら、ＥＴＳＩ競合規則を順守しつつ、アクセス端末１２０が、制御チャネル上で制御シグナリングを送信するように送信され得る。
【００４６】
[0053]上述したように、（ＶｏＬＴＥのような）レイテンシの影響を受けやすいアプリケーションは、競合を最小化することから利益を享受し得る。しかしながら、本開示のｓＰＵＣＣＨシグナリングはまた、たとえば、高速ＣＳＩフィードバックまたは高優先度トラフィック（たとえば、高優先度ＱｏＳクラス）に対する確認応答に対しても使用され得る。したがって、アクセスポイント１１０は、具体的に言うと、高優先度トラフィックに対する確認応答を送信するためにアクセス端末１２０に対してリソースを割り振り得る。
【００４７】
[0054]図４は、図３の仮想のＴＤＤフレーム構造と関連して使用され得る例となるｓＰＵＣＣＨフォーマットを例示するリソースマップである。図４に描写されるように、リソースマップは、時間ドメインを表す水平軸と、周波数ドメインを表す垂直軸とを含む。時間ドメインは、たとえば、直交周波数分割多重化（ＯＦＤＭ）シンボル期間のようなシンボル期間に分割される。各シンボル期間は、単一のシンボルを含むことができ得る。周波数ドメインは、たとえば、ＯＦＤＭトーンのようなトーンに分割される。
【００４８】
[0055]図４のリソースマップは、リソースエレメントのアレイに分割される。リソースマップ中の各列は、単一のシンボル期間に関連付けられている。同じ列内のリソースエレメントが同じシンボル期間内に含まれているとみなされ得ることは理解されるであろう。図４に描写されるように、ＳＰ１、ＳＰ２、ＳＰ３、ＳＰ４、ＳＰ５、ＳＰ６、およびＳＰ７とラベル付けされている７つのシンボル期間が存在する。しかしながら、本開示に係るリソースマップが７つより多くの数のまたは７つより少ない数のシンボル期間を有し得ることは理解されるであろう。
【００４９】
[0056]リソースマップ中の各行は、トーンの単一のグループに関連付けられている。各トーングループは、１つまたは複数のトーンを含み得る。ＬＴＥでは、たとえば、トーンは、１２個の隣接した１５ｋＨｚのトーンから成る１８０ｋＨｚのトーングループに編成され得る。したがって、いくつかの実施では、図４のトーングループは、１２個の隣接した１５ｋＨｚのトーンを含み得、１８０ｋＨｚのＬＴＥ帯域と位置合わせされ得る。
【００５０】
[0057]図４に描写されるように、ＴＧ１、ＴＧ２、ＴＧ３、ＴＧ４、ＴＧ５、ＴＧ６、ＴＧ７、ＴＧ８、ＴＧ９、ＴＧ１０、ＴＧ１１、ＴＧ１２、ＴＧ１３、ＴＧ１４、およびＴＧ１５とラベル付けされている１５個のトーングループが存在する。しかしながら、本開示に係るリソースマップが１５個より多くの数のまたは１５個より少ない数のトーングループを有し得ることは理解されるであろう。
【００５１】
[0058]４１０または４２０とラベル付けされている、図４のリソースマップ中の各矩形は、１つのシンボル期間と１つのトーングループとの一意的な組み合わせに関連付けられた１つまたは複数のリソースエレメントを表し得る。リソースマップは、非選択のリソースエレメント４１０と、制御シグナリングリソースエレメント４２０とを備える。明瞭さのために、図４では、非選択リソースエレメント４１０のうちの１つおよび制御シグナリングリソースエレメント４２０のうちの１つに対してラベルが与えられている。しかしながら、非選択リソースエレメント４１０が概して空白の矩形で描写されており、制御シグナリングリソースエレメント４２０が概して網掛け付きの矩形で描写されていることは理解されるであろう。
【００５２】
[0059]図４のリソースマップは、アクセス端末１２０にリソースを割り振るためにアクセスポイント１１０によって使用され得る。たとえば、アクセスポイント１１０は、特定の目的で（たとえば、アップリンク制御シグナリングのために）１つまたは複数の特定のリソースエレメントを選択し得る。次いで、アクセスポイント１１０は、リソース割振りメッセージをアクセス端末１２０に送信し得る。リソース割振りメッセージは、どの特定のリソースエレメント（あれば）がアップリンク制御シグナリングのためにアクセス端末１２０によって使用されることとなるかを示すであろう。アクセス端末１２０は、リソース割振りメッセージを受信した後、リソース割振りメッセージにおいて示されたリソースエレメントを使用して、アップリンク制御シグナリングを送信するであろう。上述したように、各リソースエレメントは、１つのシンボル期間と１つのトーングループとの一意的な組み合わせを表す。
【００５３】
[0060]代替的にまたは追加的に、アクセスポイント１１０は、リソース割振りメッセージを、アクセス端末１２０に類似したアクセス端末のグループに送信し得る。リソース割振りは、アクセス端末のグループが制御シグナリングを送信することができる共通リソースを割り振り得る。送信は、アクセスポイント１１０が異なるアクセス端末からの送信を区別することができるように符号分割多重化され得る。
【００５４】
[0061]本開示のｓＰＵＣＣＨシグナリングは、アクセスポイント１１０が制御シグナリングに関してアクセス端末１２０をポーリングすることを必要とすることなく、構成されたリソース上でアクセス端末１２０によって送信され得る。対照的に、ｅＰＵＣＣＨは、アクセスポイント１１０によってポーリングされたときにのみ制御シグナリングを搬送することが予想され得る。
【００５５】
[0062]本開示にしたがって、アクセスポイント１１０は、本開示のＰＵＣＣＨ、ｅＰＵＣＣＨ、およびｓＰＵＣＣＨシグナリングの任意の組み合わせを使用して、特定のアクセス端末１２０またはアクセス端末１２０のグループに対してリソースを割り振り得る。しかしながら、アクセスポイント１１０はまた、さまざまな割振り規則を採用し得る。たとえば、アクセスポイント１１０は、本開示のｓＰＵＣＣＨシグナリングリソースを、ＬＢＴフレーム内で送信機会（ＴｘＯＰ）に割り当て得る。代替的にまたは追加的に、アクセスポイント１１０は、ＬＢＴフレームの外で、本開示のｓＰＵＣＣＨシグナリングリソースを、アクセスポイント１１０が通信媒体１３２を確保していない指定のアップリンクサブフレームに割り当て得る。
【００５６】
[0063]別の例として、本開示のｓＰＵＣＣＨシグナリングは、ｅＰＵＣＣＨ割振りも含むサブフレームに割り振られ得る。そのためには、アクセスポイント１１０は、異なるインタレース（たとえば、非隣接リソースブロックの異なるグループ）を、本開示のｓＰＵＣＣＨシグナリングおよびｅＰＵＣＣＨリソースに割り当て得る。本開示のｓＰＵＣＣＨシグナリングおよびｅＰＵＣＣＨリソースの両方のためにサブフレーム中のリソースがアクセス端末１２０に割り振られる場合、アクセス端末１２０は、本開示のｓＰＵＣＣＨシグナリングまたはｅＰＵＣＣＨリソースの両方ではなくいずれかを使用して制御シグナリングを送信するように構成され得る。
【００５７】
[0064]別の例では、アクセスポイント１１０は、本開示のｓＰＵＣＣＨシグナリングを、ｅＰＵＣＣＨリソースを含まないサブフレームに割り振り得る。
【００５８】
[0065]非選択リソースエレメント４１０は、制御シグナリング（上述したような、確認応答、ＣＳＩ、等）に対して使用されないリソースエレメントを備える。本明細書で使用される場合、非選択リソースエレメント４１０のような「非選択」リソースエレメントは、制御シグナリングを送信するためにアクセスポイント１１０によって選択されないリソースエレメントである。結果として、アクセス端末１２０は、未使用リソースエレメント４１０に関連付けられた任意のシンボル／トーンの組み合わせを使用して送信しないであろう。追加的にまたは代替的に、アクセス端末１２０は、たとえば、データ、ＰＵＳＨシグナリング、等の制御シグナリングを含まないシグナリングを送信するために、未使用リソースエレメント４１０を使用して送信し得る。
【００５９】
[0066]図４のリソースマップ中の制御シグナリングリソースエレメント４２０は、制御シグナリング（上述したような、確認応答、ＣＳＩ、等）のために、アクセス端末１２０に割り振られ、それよって使用されるリソースエレメントを備える。たとえば、アクセスポイント１１０は、制御シグナリングのために制御シグナリングリソースエレメント４２０の中からリソースエレメントを割り振り得、アクセス端末１２０は、制御シグナリングリソースエレメント４２０に関連付けられたシンボル期間およびトーンを使用してアップリンク上で制御シグナリングを送信し得る。割り振られた制御信号リソースエレメント４２０は、アップリンクサブフレーム、スペシャルサブフレーム、または制御シグナリングリソースエレメントが好適に割り当てられ得る任意の他のサブフレームに割り振られ得る。
【００６０】
[0067]図４に描写されている制御シグナリングリソースエレメント４２０は、（リソースマップの左端にある）２つの最早シンボル期間を占有するが、図４のリソースマップが、必ずしも、割振りに利用可能なすべてのリソースエレメントを示しているわけではないこと、および、制御シグナリングリソースエレメント４２０が、選択された最早シンボル期間のうちの１つである必要がないことは理解されるであろう。さらに、割振りに利用可能なリソースエレメントは、変数のシンボル期間と変数のトーンまたはトーングループとを備え得、図４に描写されているリソースマップは、はるかに大きなアレイのごく一部から成り得る。たとえば、制御シグナリングリソースエレメント４２０は、（図４に描写されるような）２つの連続したシンボル期間、３つの連続したシンボル期間、４つの連続したシンボル期間、等を占有し得る。
【００６１】
[0068]いくつかの実施では、リソースエレメントは、リソースブロックを使用して割り振られ得、ここで、各リソースブロックは、複数のシンボル期間と複数のトーンとを含む。たとえば、ＬＴＥリソースブロックは、（０．５ミリ秒の合計持続時間を有する）７つの連続したシンボル期間と、（１８０ｋＨｚの周波数帯域に及ぶ）１２個の隣接トーンとを含み得る。この例では、ＬＴＥリソースブロックは、８４個のリソースエレメントのアレイを含むであろう。
【００６２】
[0069]本開示の態様にしたがって、制御シグナリングリソースエレメント４２０として選択されたリソースエレメントのうちの２つ以上はコンカレントである。たとえば、制御シグナリングリソースエレメント４２０は、同じシンボル期間に関連付けられた２つ以上のリソースエレメントを含み得る。図４に描写されるように、制御シグナリングリソースエレメント４２０は、ＳＰ１に関連付けられた複数のコンカレントなリソースエレメントを備える。たとえば、ＳＰ１／ＴＧ２およびＳＰ１／ＴＧ４に位置するリソースエレメントはそれぞれコンカレントである。
【００６３】
[0070]さらなる例として、制御シグナリングリソースエレメント４２０として選択された複数のコンカレントなリソースエレメントは、非選択リソースエレメント４１０とインターリーブされ得る、すなわち、それらの間に非選択リソースエレメント４１０を有して、周波数ドメインにおいて相互に分離される。たとえば、図４に描写されるように、ＳＰ１／ＴＧ２およびＳＰ１／ＴＧ４に位置する制御シグナリングリソースエレメント４２０は、それぞれ、ＳＰ１／ＴＧ３に位置する１つまたは複数の非選択リソースエレメント４１０だけ相互に分離される。しかしながら、本開示のいくつかの態様では、制御シグナリングリソースエレメント４２０が、非選択リソースエレメント４１０とインターリーブされない場合があること、または、制御シグナリングリソースエレメント４２０間の分離（あれば）が均一とならないように非選択リソースエレメント４１０の数が変わり得ることは理解されるであろう。それどころか、周波数ドメインにおける隣接制御シグナリングリソースエレメント４２０間の分離度が変わり得る。上述したように、非選択リソースエレメント４１０は、たとえば、アップリンクデータ送信またはアップリンク関連送信のような他の送信のためにアクセスポイント１１０によって割り振られ得る。
【００６４】
[0071]さらに別の例として、制御シグナリングリソースエレメント４２０として選択された複数のコンカレントなリソースエレメントは、異なるリソースブロックに関連付けられ得る。たとえば、トーングループＴＧ１、ＴＧ２、等は、各々、１２個のトーンから成り得る。さらに、各トーングループは、リソースブロック（たとえば、ＬＴＥリソースブロック）中の１２個のトーンと位置合わされ得る。この例によれば、ＳＰ１／ＴＧ２およびＳＰ１／ＴＧ４に位置する制御シグナリングリソースエレメント４２０は、それぞれ、異なるリソースブロックに関連付けられるであろう。
【００６５】
[0072]本開示の態様にしたがって、制御シグナリングリソースエレメント４２０は、それらが、特定のシンボル期間に制約されるように、すなわち、図４のリソースマップの観点では、特定の列に制約されるように選択され得る。示されるように、制御シグナリングリソースエレメント４２０は、図４の描写される７つのシンボル期間のうちの２つに制約される。たとえば、図４に描写されるように、制御シグナリングリソースエレメント４２０は、制御シグナリングリソースエレメント４２０として選択されたすべてのリソースエレメントが２つのシンボル期間のうちの１つに関連付けられるように、これら２つのシンボル期間に制約され得る。
【００６６】
[0073]さらに、制御シグナリングリソースエレメント４２０は、特定のスロットまたはサブフレーム内の残りのシンボル期間が任意の制御シグナリングリソースエレメント４２０を含まないように、このスロットまたはサブフレーム内の１つまたは複数のシンボル期間に制約され得る。制御シグナリングリソースエレメント４２０が制約される対象のシンボル期間の数は、この制御シグナリングリソースエレメント４２０を含むスロットまたはサブフレーム内のシンボル期間の総数より少ないであろう。たとえば、図４に描写されるシンボル期間ＳＰ１−ＳＰ７は、ＬＴＥサブフレームの特定のスロットに含まれ得る。この例では、制御シグナリングリソースエレメント４２０は、制御シグナリングがシンボル期間ＳＰ１およびＳＰ２に制約され、サブフレーム内の残りのシンボル期間（ＳＰ３−ＳＰ７）がいずれの制御シグナリングも含まないようにシンボル期間ＳＰ１およびＳＰ２に制約され得る。
【００６７】
[0074]したがって、制御シグナリングリソースエレメント４２０は、制御シグナリングのための２つ以上のリソースエレメントを含み得、ここにおいて、選択された２つ以上のリソースエレメントは、同じシンボル期間に含まれるコンカレントなリソースエレメントであり（たとえば、図４に描写されるような、ＳＰ１内の制御シグナリングリソースエレメント４２０）、制御シグナリングのための１つまたは複数の連続したリソースエレメントをさらに含み得、ここにおいて、１つまたは複数の連続したリソースエレメントは、２つ以上のリソースエレメントが含まれる１つのシンボル期間に比べて、１つまたは複数の連続したシンボル期間に含まれる（たとえば、図４に描写されているような、ＳＰ２内の制御シグナリングリソースエレメント４２０）。さらに、リソース割振りメッセージは、選択された２つ以上のリソースエレメントおよび連続したリソースエレメントが制御シグナリングのために割り振られることを示し得る。
【００６８】
[0075]さらなる例は、本開示の割振りを従来の割振りと区別するために提供されるであろう。１つの従来の実施によれば、アクセスポイント１１０は、ＰＵＣＣＨの形で制御シグナリングリソースエレメント４２０を割り振り得る。１ミリ秒の合計持続時間を有する１４個のシンボル期間を含むサブフレームであれば、ＰＵＣＣＨは、１４個の連続した（すなわち、非コンカレントな）シンボル期間を占有する１４個のリソースエレメントから成り得る。このＰＵＣＣＨ割振りは、アクセス端末１２０が、サブフレームの全持続時間の間中、制御シグナリングを送信することを必要とし得る。
【００６９】
[0076]対照的に、本開示のアクセスポイント１１０は、異なる方法でリソースエレメントを割り振り得る。具体的には、制御シグナリングリソースエレメント４２０は、（前述の例で概説したＰＵＣＣＨ実施と比べて）時間ドメインでは縮小され、周波数ドメインでは拡散され得る。連続したシンボル期間において１４個のリソースエレメントを割り振るよりむしろ、本開示のアクセスポイント１１０は、（図４に描写されるように）第１のシンボル期間において１２個の異なるトーン上で１２個のコンカレントなリソースエレメントを割り振り、第２のシンボル期間において１２個の異なるトーン上で別の１２個のコンカレントなリソースエレメントを割り振り得る。
【００７０】
[0077]本開示の別の態様にしたがって、制御シグナリングリソースエレメント４２０は、アクセス端末１２０の送信が無競合送信制約（たとえば、技術規格、政府規則、等）に準拠するように配列され得る。たとえば、いくつかの制約は、特定の割合より多くの利用可能な時間ドメインリソースを使用するアクセス端末１２０が、送信する前に通信媒体１３２へのアクセスを求めて競合しなければならないことを必要とする。具体的には、現在のＥＴＳＩ競合規則規定は、送信の特定のほんの一部（たとえば、５％）が、他の場合には一般に競合が必要とされるが、競合の必要なしに進むことを可能にする。本開示のｓＰＵＣＣＨシグナリングは、アクセス端末１２０が、通信媒体１３２を求める競合を最小化しつつ、しかしながら、ＥＴＳＩ競合規則を順守しつつ、（たとえば、ＥＴＳＩ競合規則によって許可される送信のほんの一部を使用して）制御シグナリングを送信するように送信され得る。無競合アクセスは、上述したように、アクセスポイント１１０およびアクセス端末１２０の両方に対して重要な利点を与え得る。たとえば、競合規則は、競合なしアクセスが、２００ミリ秒持続時間にわたって１０ミリ秒に制限されなければならないことを決定付ける。したがって、本開示のｓＰＵＣＣＨシグナリングは、２００ミリ秒持続時間にわたって１０ミリ秒未満（５％未満）の間、制御チャネル上で制御シグナリングを送信することによって競合を最小化するために調整され得る。
【００７１】
[0078]例として、アクセスポイント１１０が所与の無線フレームにおいてすべてのアップリンクサブフレームに広がるＰＵＣＣＨを割り振る実施を考慮する。図３の例に戻って、ＴＤＤ Ｃｏｎｆｉｇ３では１つの無線フレームにつき３つのアップリンクサブフレームが存在し得るため、アクセス端末１２０は、時間の少なくとも３０％の間、送信することとなるであろう。アクセス端末１２０が時間の３０％の間、送信することとなるであろうことから、アクセス端末１２０は、（ＥＴＳＩ競合規則によって許可競合規則下では）送信する前に通信媒体１３２へのアクセスを求めて競合することを必要とされるであろう。
【００７２】
[0079]別の例として、アクセスポイント１１０が所与の無線フレームにおいて１つだけのアップリンクサブフレームに広がるＰＵＣＣＨを割り振る実施を考慮する。このシナリオでは、アクセス端末１２０は、アクセス端末１２０が無線フレームの少なくとも１０％の間、送信することとなるであろうことから、依然として、送信する前に通信媒体１３２へのアクセスを求めて競合することを必要とされるであろう。
【００７３】
[0080]対照的に、本開示のアクセス端末１２０は、ＥＴＳＩ競合規則を順守しつつも、アクセスを求めて競合することなく送信し得る。たとえば、特定の無線フレームが１４０個のシンボル期間から成り、アクセスポイント１１０が、単一のアップリンクサブフレームの２つだけのシンボル期間上で制御シグナリングリソースエレメントをアクセス端末１２０に割り振る実施を考慮する。理解されるように、これは、制御シグナリングリソースエレメントをいくつかの異なるトーングループの間に拡散することで達成され得る。このシナリオでは、アクセス端末１２０は、時間のおおよそ１．４％の間送信することとなるであろう。したがって、アクセス端末１２０は、送信する前に通信媒体１３２へのアクセスを求めて競合することを（ＥＴＳＩ競合規則下では）必要とされないであろう。
【００７４】
[0081]別の例として、アクセス端末１２０が、無線フレームの各アップリンクサブフレーム中の２つのシンボル期間を使用して制御シグナリングを送信する実施を考慮する。無線フレームがＴＦＦ Ｃｏｎｆｉｇ３無線フレームである場合、それは、３つのアップリンクサブフレームを含むであろう。このシナリオでは、アクセス端末は、時間のおおよそ４．３％の間、送信することとなるであろう。したがって、アクセス端末１２０は、送信する前に通信媒体１３２へのアクセスを求めて競合することを（ＥＴＳＩ競合規則下で）必要とされないであろう。
【００７５】
[0082]競合規則（たとえば、ＥＴＳＩ競合規則）を順守することを容易にすることに加えて、図４のリソースマップにしたがった制御シグナリングは、他の利点を与える。たとえば、アクセス端末１２０は、電力スペクトル密度（すなわち、単位周波数あたりの伝送電力）を特定の値に制限することを（関連する技術的な規格、政府規則、等によって）必要とされ得る。（たとえば、シンボル期間の数の観点から）時間的には縮小され、（たとえば、ＯＦＤＭトーンの数の観点から）周波数的には拡散された制御シグナリングリソースエレメント４２０を使用することで、アクセス端末１２０は、電力スペクトル密度制約を順守しつつも、より高い伝送電力から利益を享受することができる。
【００７６】
[0083]本開示のｓＰＵＣＣＨシグナリングコンセプトは、ダウンリンクシグナリングにも適用され得る。たとえば、アクセスポイント１１０は、アクセス端末１２０から受信されたアップリンク送信に応答して、確認応答をアクセス端末１２０に送信し得る。従来、アクセスポイント１１０は、物理ダウンリンク制御チャネル（ＰＤＣＣＨ）上で確認応答を送信し得る。しかしながら、アクセスポイント１１０は、通信媒体１３２を求める競合を最小化するために、本開示の短期共通制御シグナリングを採用し得る。たとえば、アクセスポイント１１０は、確認応答を１つのシンボル期間に制限することでＰＤＣＣＨの持続時間を動的に調節し得る。
【００７７】
[0084]図５は、上で説明した技法に係る、例となる通信方法を例示するフロー図である。方法５００は、たとえば、アクセスポイント（たとえば、図１に例示されているアクセスポイント１１０）によって実行され得る。
【００７８】
[0085]示されるように、アクセスポイントは、制御シグナリングのために、２つ以上のリソースエレメントを、複数のリソースエレメントを備えるサブフレームから選択し得、ここで、各リソースエレメントは、サブフレーム内の複数のシンボル期間のうちの１つのシンボル期間に関連付けられており、選択された２つ以上のリソースエレメントは、同じシンボル期間に含まれるコンカレントなリソースエレメントである（ブロック５０２）。選択することは、たとえば、処理システム１１６およびメモリ構成要素１１８、等のようなプロセッサおよびメモリによって実行され得る。アクセスポイントは、アクセス端末にリソース割振りをさらに送信し得、ここで、リソース割振りは、サブフレームの制御シグナリング部分として、選択された２つ以上のリソースエレメントを示す（ブロック５０４）。送信することは、たとえば、処理システム１１６およびメモリ構成要素１１８、等のようなプロセッサおよびメモリによって実行され得る。
【００７９】
[0086]便宜上、アクセスポイント１１０は、本明細書で説明されたさまざまな例にしたがって構成され得るさまざまな構成要素を含んで図１に示される。しかしながら、例示されるブロックがさまざまな方法で実施され得ることは認識されるであろう。いくつかの実施では、図１の構成要素は、たとえば、１つまたは複数のプロセッサおよび／または（１つまたは複数のプロセッサを含み得る）１つまたは複数のＡＳＩＣのような１つまたは複数の回路により実施され得る。ここで、各回路は、この機能性を提供するために回路によって使用される実行可能なコードまたは情報を記憶するための少なくとも１つのメモリ構成要素を使用および／または組み込み得る。
【００８０】
[0087]図６は、一連の相関機能モジュールとして表されるアクセスポイント１１０を実施するための装置の代替的な例示を提供する。
【００８１】
[0088]図６は、一連の相関機能モジュールとして表される例となる装置６００を例示する。制御シグナリングのために、２つ以上のリソースエレメントを、複数のリソースエレメントを備えるサブフレームから選択するためのモジュール、ここで、各リソースエレメントは、サブフレーム内の複数のシンボル期間のうちの１つのシンボル期間に関連付けられており、選択された２つ以上のリソースエレメントは、同じシンボル期間に含まれるコンカレントなリソースエレメントである６０２、は、少なくともいくつかの態様では、たとえば、本明細書で述べたような通信コントローラまたはそれの構成要素（たとえば、通信コントローラ１１４または同様のもの）に対応し得る。リソース割振りをアクセス端末に送信するためのモジュール、ここで、リソース割振りは、サブフレームの制御シグナリング部分として、選択された２つ以上のリソースエレメントを示す６０４、は、少なくともいくつかの態様では、たとえば、本明細書で述べたような通信デバイスまたはその構成要素（たとえば、通信デバイス１１２または同様のもの）に対応し得る。
【００８２】
[0089]図６のモジュールの機能性は、本明細書の教示と合致するさまざまな方法で実施され得る。いくつかの設計では、これらのモジュールの機能性は、１つまたは複数の電気構成要素として実施され得る。いくつかの設計では、これらのブロックの機能性は、１つまたは複数のプロセッサ構成要素を含む処理システムとして実施され得る。いくつかの設計では、これらのモジュールの機能性は、たとえば、１つまたは複数の集積回路（たとえば、ＡＳＩＣ）のうちの少なくとも一部を使用して実施され得る。本明細書で述べたように、集積回路は、プロセッサ、ソフトウェア、他の関連する構成要素、またはそれらの何らかの組み合わせを含み得る。ゆえに、異なるモジュールの機能性は、たとえば、集積回路の異なるサブセット、ソフトウェアモジュールのセットの異なるサブセット、またはこれらの組み合わせとして実施され得る。また、（たとえば、集積回路のおよび／またはソフトウェアモジュールのセットの）所与のサブセットが、１つより多くのモジュールに対して機能性の少なくとも一部分を提供し得ることは認識されるであろう。
【００８３】
[0090]加えて、図６によって表される構成要素および機能ならびに本明細書で説明された他の構成要素および機能は、任意の適切な手段を使用して実施され得る。そのような手段はまた、少なくとも部分的に、本明細書で教示されているような対応する構造を使用して実施され得る。たとえば、図６の「〜のためのモジュール」という構成要素と併せて上で説明した構成要素はまた、同様に指定された「〜のための手段」という機能性に対応し得る。ゆえに、いくつかの態様では、そのような手段のうちの１つまたは複数は、プロセッサ構成要素、集積回路、または本明細書で教示された他の適切な構造のうちの１つまたは複数を使用して実施され得る。
【００８４】
[0091]図７は、上で説明された技法に係る、例となる通信方法を例示するフロー図である。方法７００は、たとえば、アクセス端末（たとえば、図１に例示されているアクセス端末１２０）によって実行され得る。
【００８５】
[0092]示されるように、アクセス端末は、アクセスポイントからリソース割振りメッセージを受信し得、ここにおいて、リソース割振りメッセージは、サブフレームからの２つ以上のリソースエレメントが制御シグナリングのために選択されることを示し、サブフレームは、複数のシンボル期間を含み、各シンボル期間は、複数のリソースエレメントを含み、示された２つ以上のリソースエレメントは、同じシンボル期間に含まれるコンカレントなリソースエレメントである（ブロック７０２）。受信することは、たとえば、通信デバイス１２２または同様のもののような通信デバイスによって実行され得る。アクセス端末１２０は、示された２つ以上のリソースエレメント上でアップリンク制御シグナリングをさらに送信し得る（ブロック７０４）。送信することは、たとえば、通信デバイス１２２または同様のもののような通信デバイスによって実行され得る。
【００８６】
[0093]便宜上、本明細書で説明されたさまざまな例にしたがって構成され得るさまざまな構成要素を含んで図１に示されるアクセス端末１２０。しかしながら、例示されたブロックがさまざまな方法で実施され得ることは認識されるであろう。いくつかの実施では、図１の構成要素は、たとえば、１つまたは複数のプロセッサおよび／または（１つまたは複数のプロセッサを含み得る）１つまたは複数のＡＳＩＣのような１つまたは複数の回路により実施され得る。ここで、各回路は、この機能性を提供するために回路によって使用される実行可能なコードまたは情報を記憶するための少なくとも１つのメモリ構成要素を使用および／または組み込み得る。
【００８７】
[0094]図８は、一連の相関機能モジュールとして表されるアクセス端末１２０を実施するための装置の代替的な例示を提供する。
【００８８】
[0095]図８は、一連の相関機能モジュールとして表示される例となる装置８００を例示する。アクセスポイントからリソース割振りメッセージを受信するためのモジュール、ここにおいて、リソース割振りメッセージは、サブフレームからの２つ以上のリソースエレメントが制御シグナリングのために選択されることを示し、サブフレームは、複数のシンボル期間を含み、各シンボル期間は、複数のリソースエレメントを含み、示された２つ以上のリソースエレメントは、同じシンボル期間に含まれるコンカレントなリソースエレメントである８０２、は、少なくともいくつかの態様では、たとえば、本明細書で述べたような通信コントローラまたはその構成要素（たとえば、通信コントローラ１２２または同様のもの）に対応し得る。示された２つ以上のリソースエレメント上でアップリンク制御シグナリングを送信するためのモジュール８０４は、少なくともいくつかの態様では、たとえば、本明細書で述べたような通信デバイスまたはその構成要素（たとえば、通信デバイス１２２または同様のもの）に対応し得る。
【００８９】
[0096]図８のモジュールの機能性は、本明細書の教示と合致するさまざまな方法で実施され得る。いくつかの設計では、これらのモジュールの機能性は、１つまたは複数の電気構成要素として実施され得る。いくつかの設計では、これらのブロックの機能性は、１つまたは複数のプロセッサ構成要素を含む処理システムとして実施され得る。いくつかの設計では、これらのモジュールの機能性は、たとえば、１つまたは複数の集積回路（たとえば、ＡＳＩＣ）のうちの少なくとも一部を使用して実施され得る。本明細書で述べたように、集積回路は、プロセッサ、ソフトウェア、他の関連する構成要素、あるいはそれらの何らかの組み合わせを含み得る。ゆえに、異なるモジュールの機能性は、たとえば、集積回路の異なるサブセット、ソフトウェアモジュールのセットの異なるサブセット、またはこれらの組み合わせとして実施され得る。また、（たとえば、集積回路の、および／または、ソフトウェアモジュールのセットの）所与のサブセットが、１つより多くのモジュールに対して機能性の少なくとも一部分を提供し得ることは認識されるであろう。
【００９０】
[0097]加えて、図８によって表された構成要素および機能ならびに本明細書で説明された他の構成要素および機能は、任意の適切な手段を使用して実施され得る。そのような手段はまた、少なくとも部分的に、本明細書で教示されているような対応する構造を使用して実施され得る。たとえば、図８の「〜のためのモジュール」という構成要素と併せて上で説明した構成要素はまた、同様に指定された「〜のための手段」という機能性に対応し得る。ゆえに、いくつかの態様では、そのような手段のうちの１つまたは複数は、プロセッサ構成要素、集積回路、または本明細書で教示された他の適切な構造のうちの１つまたは複数を使用して実施され得る。
【００９１】
[0098]たとえば、「第１の」、「第２の」、等のような指定（designation）を用いた本明細書におけるエレメントへのいかなる参照も、一般にこれらエレメントの量または順序を制限しないことは理解されるべきである。むしろ、これらの指定は、２つ以上のエレメントをまたは１つのエレメントの複数のインスタンを区別する便利な方法として本明細書で使用され得る。ゆえに、第１のエレメントおよび第２のエレメントへの参照は、そこで２つエレメントのみが用いられ得ることも、何らかの形で第１のエレメントが第２のエレメントに先行しなければならないことも、意味しない。また、別途述べられていない限り、エレメントのセットは、１つまたは複数のエレメントを備え得る。加えて、本説明または特許請求の範囲において使用される「Ａ、Ｂ、またはＣのうちの少なくとも１つ」あるいは「Ａ、Ｂ、またはＣのうちの１つまたは複数」あるいは「Ａ、Ｂ、およびＣから成るグループの少なくとも１つ」という形の専門用語は、「ＡまたはＢまたはＣまたはこれらのエレメントの任意の組み合わせ」を意味する。たとえば、この専門用語は、Ａ、またはＢ、またはＣ、またはＡおよびＢ、またはＡおよびＣ、またはＡおよびＢおよびＣ、または２つのＡ、または２つのＢ、または２つのＣ、等を含み得る。
【００９２】
[0099]上の説明および解説を考慮して、当業者は、本明細書で開示された態様に関連して説明された実例となるさまざまな論理ブロック、モジュール、回路、およびアルゴリズムステップが、電子ハードウェア、コンピュータソフトウェア、または両者の組み合わせとして実施され得ることを認識するであろう。このハードウェアとソフトウェアとの互換性を明確に例示するために、実例となるさまざまな構成要素、ブロック、モジュール、回路、およびステップが、概してそれらの機能の観点から上に説明されている。このような機能性がハードウェアとして実施されるかソフトウェアとして実施されるかは、特定の用途とシステム全体に課せられる設計制約とに依存する。当業者は、説明された機能性を特定の用途ごとにさまざまな方法で実施し得るが、このような実施の決定は、本開示の範囲からの逸脱を引き起こすものとして解釈されるべきでない。
【００９３】
[00100]したがって、たとえば、装置または装置の任意の構成要素が、本明細書で教示された機能性を提供するように構成され（または、動作可能にされまたは適合され）得ることが認識されるであろう。これは、たとえば、装置または構成要素を、それがその機能性を提供することになるように製造する（manufacturing）（たとえば、作る（fabricating））ことで、装置または構成要素を、それがその機能性を提供することになるようにプログラミングすることで、または何らかの他の適切な実施技法を使用して、達成され得る。一例として、集積回路は、必須の機能性を提供するように作られ得る。別の例として、集積回路は、必須の機能性をサポートするように作られ、それから必須の機能性を提供するように構成（たとえば、プログラミングを介して）され得る。さらに別の例として、プロセッサ回路は、必須の機能性を提供するためのコードを実行し得る。
【００９４】
[00101]さらに、本明細書で開示された態様に関連して説明された方法、シーケンス、および／またはアルゴリズムは、直接ハードウェアにおいて、プロセッサによって実行されるソフトウェアモジュールにおいて、または両者の組み合わせにおいて具現化され得る。ソフトウェアモジュールは、ランダムアクセスメモリ（ＲＡＭ）、フラッシュメモリ、読取専用メモリ（ＲＯＭ）、電気的プログラマブル読取専用メモリ（ＥＰＲＯＭ）、電気的消去可能プログラマブル読取専用メモリ（ＥＥＰＲＯＭ（登録商標））、レジスタ、ハードディスク、リムーバルディスク、ＣＤ−ＲＯＭ、または当技術分野において知られている任意の他の形状の、すなわち、一時的なまたは非一時的な、記憶媒体に存在し得る。例示的な記憶媒体は、プロセッサが記憶媒体から情報を読み出し、記憶媒体に情報を書き込むことができるように、プロセッサに結合される。代替では、記憶媒体は、プロセッサに一体化され得る（たとえば、キャッシュメモリ）。
【００９５】
[00102]したがって、たとえば、本開示の特定の態様が、通信のための方法を具現化する一時的なまたは非一時的なコンピュータ読取可能な媒体を含むことができることも認識されるであろう。
【００９６】
[00103]前述の開示は実例となるさまざまな態様を示すが、添付の特許請求の範囲によって定義される範囲から逸脱することなく、例示された例に対してさまざまな変更および修正がなされ得ることは留意されるべきである。本開示は、具体的に例示された例だけに限定されるわけではない。たとえば、別途述べられていない限り、本明細書で説明された本開示の態様にしたがった方法の請求項の機能、ステップ、および／またはアクションは、特定の順序で実行される必要はない。さらに、特定の態様は、単数形で説明または特許請求され得るが、単数形への限定が明記されていない限り、複数形が考慮される。
【図１】
2018525945.tif 000003
【図２】
2018525945.tif 000004
【図３】
2018525945.tif 000005
【図４】
2018525945.tif 000006
【図５】
2018525945.tif 000007
【図６】
2018525945.tif 000008
【図７】
2018525945.tif 000009
【図８】
2018525945.tif 000010
【国際調査報告】
2018525945.tif 000011
2018525945.tif 000012
2018525945.tif 000013